(57)【要約】【課題】設定操作を簡略化するとともに、ユーザに設定手順を学習させることが可能な電子機器を提供する。【解決手段】この携帯電話（電子機器）１は、コマンド画像を表示するタッチパネル３と、タッチパネル３に表示されてユーザにより選択された開始用ユーザ選択コマンドを実行する制御部２と、を備える。制御部２は、ユーザにより開始用ユーザ選択コマンドが選択されると、決定用ユーザ選択コマンドがタッチパネル３に表示されるまで、タッチパネル３に表示される中間コマンドを自動的に選択して表示画像を自動的に遷移させる。【選択図】図１
2014063270.tif 000002
【特許請求の範囲】
【請求項１】
コマンド画像を表示する表示部と、
前記表示部に表示されてユーザにより選択された開始用ユーザ選択コマンドを実行する実行部と、
を備え、
前記実行部は、ユーザにより前記開始用ユーザ選択コマンドが選択されると、ユーザにより選択される決定用ユーザ選択コマンドが前記表示部に表示されるまで、前記表示部に表示される中間コマンドを自動的に選択して前記表示部の表示画像を自動的に遷移させることを特徴とする電子機器。
【請求項２】
紙からなる取扱説明書に記載されたシンボルを読み取り可能な読取部と、
読み取られた前記シンボルを、前記表示部に表示される前記開始用ユーザ選択コマンドに変換する変換部と、
を備えることを特徴とする請求項１に記載の電子機器。
【請求項３】
前記表示部は前記開始用ユーザ選択コマンドを内包する電子データからなる取扱説明書を表示することを特徴とする請求項１に記載の電子機器。
【請求項４】
ユーザにより選択された前記開始用ユーザ選択コマンドを記憶する記憶部を備えることを特徴とする請求項１〜３のいずれか１項に記載の電子機器。
【請求項５】
自動的に遷移される前記表示画像の各々が所定時間以上表示されるように、前記表示画像の表示時間を計時する計時部を備えることを特徴とする請求項１〜４のいずれか１項に記載の電子機器。
【請求項６】
前記開始用ユーザ選択コマンドを選択するためにユーザが操作する操作部を備えることを特徴とする請求項１〜５のいずれか１項に記載の電子機器。
【請求項７】
携帯電話であることを特徴とする請求項１〜６のいずれか１項に記載の電子機器。
【請求項８】
コマンド画像を表示部に表示するステップと、
前記表示部に表示されてユーザにより選択された開始用ユーザ選択コマンドを実行するステップと、
を備え、
前記開始用ユーザ選択コマンドを実行するステップは、
前記表示部に表示される中間コマンドを自動的に選択して前記表示部の表示画像を自動的に遷移させるステップと、
ユーザにより選択される決定用ユーザ選択コマンドを前記表示部に表示するステップとを含むことを特徴とする電子機器の制御方法。
【発明の詳細な説明】
【技術分野】
【０００１】
この発明は、電子機器およびその制御方法に関し、特に、コマンド画像を表示する表示部と、ユーザにより選択されたコマンドを実行する実行部とを備える電子機器およびその制御方法に関する。
【背景技術】
【０００２】
近年、電子機器の高機能化に伴って、初期設定や設定変更を行う項目が増加している。また、これらを設定するためには、ある程度の手数を伴ったユーザの選択操作が必要である。このため、電子機器の取扱説明書に記載する内容が膨大になり取扱説明書が肥大化するとともに、取扱説明書の記載が煩雑化することで内容が理解しにくくなっている。
【０００３】
これに関連する技術として以下のものが提案されている。
【０００４】
特許文献１には、取扱説明書に記載された２次元コードを携帯端末で読み取ることにより、取扱説明書の当該部分の説明を携帯端末の画面に表示するとともに音読させることが開示されている。特許文献１では、取扱説明書への記載を省略することが可能であるので、取扱説明書の頁数を大幅に削減することが可能である。
【０００５】
特許文献２には、電子機器の設定を行う場合に、特定フォーマットの用紙に設定情報を記入し、その用紙を電子機器の画像読取部で読み取ることによって、電子機器の設定を自動で行うことが開示されている。特許文献２では、電子機器の設定操作を簡略化することが可能である。
【先行技術文献】
【特許文献】
【０００６】
【特許文献１】特開２０１１−１８２９７号公報
【特許文献２】特開２００３−１９８７７０号公報
【発明の概要】
【発明が解決しようとする課題】
【０００７】
しかしながら、特許文献１では、説明が画面に表示されるとともに音読されるだけであるので、初期設定や設定変更を行うための一連の操作はユーザが行う必要がある。このため、ユーザによる設定操作を簡略化できないという問題点がある。
【０００８】
また、特許文献２では、設定情報が記入された用紙を画像読取部で読み取った後は、電子機器の設定が自動で行われるので、ユーザはその設定の過程が分からない。このため、ユーザはいつまでたっても通常の設定メニューからの設定手順が分からないままなので、各種設定を行う度に、特定フォーマットの用紙に設定情報を記入し、用紙を読み取らせる必要があるという問題点がある。
【０００９】
この発明は、上記のような課題を解決するためになされたものであり、この発明の目的は、設定操作を簡略化するとともに、ユーザに設定手順を学習させることが可能な電子機器およびその制御方法を提供することである。
【課題を解決するための手段】
【００１０】
上記目的を達成するために、この発明の電子機器は、コマンド画像を表示する表示部と、表示部に表示されてユーザにより選択された開始用ユーザ選択コマンドを実行する実行部と、を備え、実行部は、ユーザにより開始用ユーザ選択コマンドが選択されると、ユーザにより選択される決定用ユーザ選択コマンドが表示部に表示されるまで、表示部に表示される中間コマンドを自動的に選択して表示部の表示画像を自動的に遷移させる。
【００１１】
なお、本明細書および特許請求の範囲において、コマンドとは、例えば図５〜図１４に示すような「選択肢」のことを言う。
【００１２】
上記電子機器において、好ましくは、紙からなる取扱説明書に記載されたシンボルを読み取り可能な読取部と、読み取られたシンボルを、表示部に表示される開始用ユーザ選択コマンドに変換する変換部と、を備える。
【００１３】
上記電子機器において、好ましくは、表示部は開始用ユーザ選択コマンドを内包する電子データからなる取扱説明書を表示する。
【００１４】
上記電子機器において、好ましくは、ユーザにより選択された開始用ユーザ選択コマンドを記憶する記憶部を備える。
【００１５】
上記電子機器において、好ましくは、自動的に遷移される表示画像の各々が所定時間以上表示されるように、表示画像の表示時間を計時する計時部を備える。
【００１６】
上記電子機器において、好ましくは、開始用ユーザ選択コマンドを選択するためにユーザが操作する操作部を備える。
【００１７】
上記電子機器は、好ましくは、携帯電話である。
【００１８】
この発明の電子機器の制御方法は、コマンド画像を表示部に表示するステップと、表示部に表示されてユーザにより選択された開始用ユーザ選択コマンドを実行するステップと、を備え、開始用ユーザ選択コマンドを実行するステップは、表示部に表示される中間コマンドを自動的に選択して表示部の表示画像を自動的に遷移させるステップと、ユーザにより選択される決定用ユーザ選択コマンドを表示部に表示するステップとを含む。
【発明の効果】
【００１９】
本発明によれば、実行部は、ユーザにより開始用ユーザ選択コマンドが選択されると、ユーザにより選択される決定用ユーザ選択コマンドが表示部に表示されるまで、表示部に表示される中間コマンドを自動的に選択して表示部の表示画像を自動的に遷移させる。これにより、ユーザが開始用ユーザ選択コマンドを選択してから決定用ユーザ選択コマンドが表示されるまでのユーザの操作を省略することができる。これにより、ユーザによる設定操作を簡略化することができる。
【００２０】
また、ユーザが開始用ユーザ選択コマンドを選択してから決定用ユーザ選択コマンドが表示されるまで、中間コマンドが表示部に表示される。すなわち、設定の過程が表示部に表示される。これにより、ユーザに設定手順を視覚的に学習させることができる。その結果、ユーザが同じ設定項目について設定変更を行う場合に、取扱説明書に頼らずに、学習した設定手順を遂行することにより設定変更を行うことができる。さらに、設定の過程（設定途中の画像）を表示部に表示することによって、ユーザは所望の設定項目以外についても視認することになる。このため、類似の設定項目についても取扱説明書に頼らずに設定を行うことができるといった効果が期待できる。
【００２１】
また、ユーザが開始用ユーザ選択コマンドを選択してから決定用ユーザ選択コマンドが表示されるまでの操作を実行部が自動的に行うので、取扱説明書への記載を省略することができ、取扱説明書の頁数を削減することができる。
【図面の簡単な説明】
【００２２】
【図１】本発明の第１実施形態の携帯電話の構成を示したブロック図である。
【図２】本発明の第１実施形態の携帯電話のホーム画面を示した図である。
【図３】本発明の第１実施形態の携帯電話の動作を説明するためのフローチャートである。
【図４】本発明の第１実施形態の携帯電話の動作を説明するための図である。
【図５】本発明の第１実施形態の携帯電話の動作を説明するための図である。
【図６】本発明の第１実施形態の携帯電話の動作を説明するための図である。
【図７】本発明の第１実施形態の携帯電話の動作を説明するための図である。
【図８】本発明の第１実施形態の携帯電話の動作を説明するための図である。
【図９】本発明の第１実施形態の携帯電話の動作を説明するための図である。
【図１０】本発明の第１実施形態の携帯電話の動作を説明するための図である。
【図１１】本発明の第１実施形態の携帯電話の動作を説明するための図である。
【図１２】本発明の第１実施形態の携帯電話の動作を説明するための図である。
【図１３】本発明の第１実施形態の携帯電話の動作を説明するための図である。
【図１４】本発明の第１実施形態の携帯電話の動作を説明するための図である。
【図１５】本発明の第２実施形態の携帯電話の構成を示したブロック図である。
【図１６】本発明の第２実施形態の携帯電話の動作を説明するためのフローチャートである。
【発明を実施するための形態】
【００２３】
以下、本発明の実施形態について図面を参照して説明する。
【００２４】
＜第１実施形態＞
まず、図１および図２を参照して、本発明の第１実施形態による携帯電話（電子機器）１の構成について説明する。
【００２５】
本発明の第１実施形態の携帯電話１は図１に示すように、制御部（実行部、変換部）２、タッチパネル（表示部、操作部）３、カメラ（読取部）４、記憶部５および計時部６を備えている。
【００２６】
制御部２は携帯電話１全体を制御するものであり、タッチパネル３、カメラ４、記憶部５および計時部６に繋がっている。
【００２７】
タッチパネル３は、ユーザが携帯電話１を操作するためのコマンド画像やカメラ４により読み取られた画像等を表示する。また、タッチパネル３は、携帯電話１を操作するためにユーザにより表面が押下（接触）されるものであり、操作部として機能する。なお、携帯電話１のホーム画面（図２参照）では、タッチパネル３の画面上端に電池残量および時刻が表示され、画面下端にナビゲーションキーが表示され、画面中央にカメラ等のショートカットキーが表示される。また、本明細書では、液晶表示パネル等の表示パネルの表面に感知用パネルを重ねてユニット化したものを、タッチパネルと称する。
【００２８】
カメラ４は静止画や動画を撮影するものであり、後述するように取扱説明書に記載されたシンボルを読み取ることが可能である。
【００２９】
記憶部５には、携帯電話１を動作させるための各種プログラム等が保存される。また、記憶部５には、後述するようにユーザにより選択された開始用ユーザ選択コマンドが設定履歴として保存される。
【００３０】
計時部６は計時機能を有する。これにより、表示画像の表示時間を計時することが可能であるので、後述するように表示画像の各々を所定時間以上表示させることが可能である。
【００３１】
本実施形態では、携帯電話１の取扱説明書は紙からなり、各種設定項目やそれに対応するシンボルが印刷されている。このシンボルは、例えばＱＲコード（登録商標）等の２次元コードからなり、ユーザが所定の設定項目について設定（初期設定や設定変更）する際にカメラ４により読み取らせるものである。
【００３２】
制御部２は、カメラ４がシンボルを読み取ると、読み取ったシンボルをデータに変換し、そのデータを解析して開始用ユーザ選択コマンドに変換する機能を有する。開始用ユーザ選択コマンドはタッチパネル３に表示され、ユーザによる選択が可能となる。
【００３３】
また、制御部２は、ユーザにより開始用ユーザ選択コマンドが選択されると、その開始用ユーザ選択コマンドを実行する。具体的には、開始用ユーザ選択コマンドは、ユーザが所望する設定項目の設定画面になるまで表示画面を遷移させるマクロコマンドを内包している。このため、制御部２は、ユーザにより開始用ユーザ選択コマンドが選択されると、決定用ユーザ選択コマンドがタッチパネル３に表示されるまで、タッチパネル３に表示された中間コマンドを自動的に選択して表示画像を自動的に遷移させる。このとき、ユーザが１つ１つの設定手順を認識できる程度の速度で、表示画像が自動的に遷移される。
【００３４】
次に、図２〜図１４を参照して、携帯電話１の動作について説明する。ここでは、ユーザが例えば着信音（着信時に発するメロディ）を設定する場合について説明する。なお、以下で説明する動作は、記憶部５に保存されたプログラムを制御部２が実行することによって実現される。
【００３５】
図３に示したステップＳ１において、カメラ４は、ユーザにより起動され、取扱説明書の着信音設定の項目に記載されているシンボル（２次元コード）を読み取る。このとき、図４に示すように、タッチパネル３にはシンボル（２次元コード）が表示されている。
【００３６】
ステップＳ２において、制御部２により、読み取られたシンボルがデータに変換される。ステップＳ３において、制御部２により、そのデータが開始用ユーザ選択コマンドに変換される。そして、ステップＳ４において図５に示すように、開始用ユーザ選択コマンド（ここでは、「着信音設定」コマンド）が読み取り結果として表示される。
【００３７】
その後、ステップＳ５において、制御部２により、開始用ユーザ選択コマンドがユーザに選択されたか否かが判断される。開始用ユーザ選択コマンドが選択されるまでステップＳ５の判断が繰り返される。ユーザが開始用ユーザ選択コマンド上を押下（接触）することによって、開始用ユーザ選択コマンドが選択されると、ステップＳ６に進む。このとき、ユーザに選択された開始用ユーザ選択コマンドが設定履歴として記憶部５に保存される。
【００３８】
そして、ステップＳ６において制御部２により、その開始用ユーザ選択コマンドが実行される。
【００３９】
具体的には、まず、図２に示すように、タッチパネル３にホーム画面が表示される。そして、画面下端のナビゲーションキーのうちのメニューキーが自動で選択されることにより、図６に示すようにタッチパネル３に設定項目リストが表示される。その後、図７に示すように、設定項目リストの中の所定の中間コマンド（ここでは、「端末設定」コマンド）が自動で選択される。これにより、図８に示すように、タッチパネル３に、端末設定に関する各種コマンドが表示される。そして、図９に示すように、所定の中間コマンド（ここでは、「音・バイブ・ランプ」コマンド）が自動で選択される。これにより、図１０に示すように、タッチパネル３に、音・バイブ・ランプ設定に関する各種コマンドが表示される。
【００４０】
その後、図１１に示すように、所定のコマンド（ここでは、「電話着信」コマンド）が自動で選択される。これにより、図１２に示すように、タッチパネル３に、電話着信設定に関する各種コマンドが表示される。そして、図１３に示すように、所定の中間コマンド（ここでは、「着信音」コマンド）が自動で選択される。これにより、ステップＳ７において、図１４に示すように、タッチパネル３に、着信音設定に関する「着信メロディ」コマンド等の各種コマンド（ユーザにより選択される決定用ユーザ選択コマンド）が表示される。
【００４１】
このように、ステップＳ５においてユーザにより開始用ユーザ選択コマンドが選択されると、決定用ユーザ選択コマンドがタッチパネル３に表示されるまで、タッチパネル３に表示された中間コマンドが自動的に選択されて表示画像が自動的に遷移される。なお、ステップＳ６では、計時部６により各表示画像（図２、図６〜図１３の表示画像）の表示時間が計時されており、各表示画像が所定時間（例えば１ｓｅｃ）以上表示される。このため、画面上では、ユーザが実際に操作しているように見える。
【００４２】
その後、ステップＳ８において、制御部２により、決定用ユーザ選択コマンドがユーザに選択されたか否かが判断される。決定用ユーザ選択コマンドが選択されるまでステップＳ８の判断が繰り返される。決定用ユーザ選択コマンドが選択されると、ステップＳ９に進む。
【００４３】
そして、ステップＳ９において、ユーザにより選択された着信音（着信メロディ）に設定が変更され、処理が終了される。
【００４４】
本実施形態では、上記のように、制御部２は、ユーザにより開始用ユーザ選択コマンドが選択されると、決定用ユーザ選択コマンドがタッチパネル３に表示されるまで、タッチパネル３に表示される中間コマンドを自動的に選択してタッチパネル３の表示画像を自動的に遷移させる。これにより、ユーザが開始用ユーザ選択コマンドを選択してから決定用ユーザ選択コマンドが表示されるまでのユーザの操作を省略することができる。これにより、ユーザによる設定操作を簡略化することができる。
【００４５】
また、ユーザが開始用ユーザ選択コマンドを選択してから決定用ユーザ選択コマンドが表示されるまで、中間コマンドがタッチパネル３に表示される。すなわち、設定の過程がタッチパネル３に表示される。これにより、ユーザに設定手順を視覚的に学習させることができる。その結果、ユーザが同じ設定項目について設定変更を行う場合に、取扱説明書に頼らずに、学習した設定手順を遂行することにより設定変更を行うことができる。さらに、設定の過程（設定途中の画像）をタッチパネル３に表示することによって、ユーザは所望の設定項目以外についても視認することになる。このため、類似の設定項目についても取扱説明書に頼らずに設定を行うことができるといった効果が期待できる。
【００４６】
また、ユーザが開始用ユーザ選択コマンドを選択してから決定用ユーザ選択コマンドが表示されるまでの操作を制御部２が自動的に行うので、取扱説明書への記載を省略することができ、取扱説明書の頁数を大幅に削減することができる。
【００４７】
また、上記のように、紙からなる取扱説明書に記載されたシンボルを読み取り可能なカメラ４と、読み取られたシンボルを開始用ユーザ選択コマンドに変換する制御部２と、を備える。これにより、取扱説明書が紙からなる場合に、開始用ユーザ選択コマンドをタッチパネル３に容易に表示することができる。
【００４８】
また、上記のように、ユーザにより選択された開始用ユーザ選択コマンドが記憶部５に保存される。これにより、次回、ユーザが同じ設定項目を設定変更する場合に、設定履歴から目的の開始用ユーザ選択コマンドを選択するだけで、容易に設定変更を行うことができる。
【００４９】
また、上記のように、計時部６を設け、自動的に遷移される表示画像の各々を所定時間以上表示させる。これにより、ユーザに、設定手順を視覚的に学習するための十分な時間を与えることができる。
【００５０】
＜第２実施形態＞
この第２実施形態では、携帯電話１の取扱説明書が電子データからなる場合について説明する。
【００５１】
本発明の第２実施形態の携帯電話１は図１５に示すように、カメラ４が設けられていなくてもよい。なお、第２実施形態の携帯電話１においても、上記第１実施形態と同様、カメラ４が設けられていてもよい。
【００５２】
本実施形態では、携帯電話１の取扱説明書は開始用ユーザ選択コマンドを内包する電子データからなり、記憶部５に保存される。そして、取扱説明書を画面に表示した状態で、各設定項目に対応するように開始用ユーザ選択コマンドも表示されており、ユーザによる選択が可能となっている。このため、制御部２は、シンボルをデータに変換する機能や、データを解析してコマンドに変換する機能を有していなくてもよい。
【００５３】
第２実施形態のその他の構造は、上記第１実施形態と同様である。
【００５４】
次に、図１６を参照して、第２実施形態の携帯電話１の動作について説明する。
【００５５】
図１６に示したステップＳ１１において、開始用ユーザ選択コマンド（ここでは、「着信音設定」コマンド）が記載された取扱説明書が、タッチパネル３に表示される。そして、ステップＳ５に進む。
【００５６】
第２実施形態のステップＳ５以降の動作は、上記第１実施形態と同様である。
【００５７】
本実施形態では、上記のように、タッチパネル３には、開始用ユーザ選択コマンドを内包する電子データからなる取扱説明書が表示される。これにより、取扱説明書が電子データからなる場合に、開始用ユーザ選択コマンドを容易にタッチパネル３に表示することができる。そして、容易に、設定操作を簡略化することができるとともにユーザに設定手順を学習させることができる。
【００５８】
第２実施形態のその他の効果は、上記第１実施形態と同様である。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６０】
例えば、上記実施形態では、電子機器として携帯電話を用いる例について示したが、本発明はこれに限らない。例えば、デジタルスチルカメラ、デジタルビデオカメラ、プリンタ、テレビジョン受像機の他、各種電子機器に適用可能である。
【００６１】
また、上記実施形態では、表示部として機能するとともにユーザが操作する操作部としても機能するタッチパネルを設けた例について示したが、本発明はこれに限らない。表示部をタッチパネル以外の表示パネルにより形成するとともに、ユーザ選択コマンドを選択するためにユーザが操作する物理キーを別途設けてもよい。また、表示部をタッチパネルにより形成しながら、さらに物理キーを設けてもよい。また、操作部は、電子機器本体とは別体のリモートコントローラであってもよい。
【００６２】
また、上記実施形態では、制御部が実行部として機能するとともに変換部としても機能する例について示したが、本発明はこれに限らない。実行部と変換部とを別々に設けてもよい。
【００６３】
また、上記実施形態では、ユーザに選択された開始用ユーザ選択コマンドが設定履歴として記憶部に保存される例について示したが、本発明はこれに限らない。ユーザに選択された開始用ユーザ選択コマンドが記憶部に保存されなくてもよい。
【００６４】
また、自動的に遷移される各表示画像の表示時間をユーザが変更できるように構成されていてもよい。このように構成すれば、ユーザの視認速度に応じて最適な表示時間で表示画像を遷移させることができる。
【００６５】
また、自動的に選択される中間コマンドを携帯電話に音読させてもよい。このように構成すれば、視覚と聴覚との両方によってユーザに学習させることができるので、学習効果をより向上させることができる。
【００６６】
また、上述した実施形態および変形例の構成を適宜組み合わせて得られる構成についても、本発明の技術的範囲に含まれる。
【符号の説明】
【００６７】
１  携帯電話（電子機器）
２  制御部（実行部、変換部）
３  タッチパネル（表示部、操作部）
４  カメラ（読取部）
５  記憶部
６  計時部
【図１】
2014063270.tif 000003
【図２】
2014063270.tif 000004
【図３】
2014063270.tif 000005
【図４】
2014063270.tif 000006
【図５】
2014063270.tif 000007
【図６】
2014063270.tif 000008
【図７】
2014063270.tif 000009
【図８】
2014063270.tif 000010
【図９】
2014063270.tif 000011
【図１０】
2014063270.tif 000012
【図１１】
2014063270.tif 000013
【図１２】
2014063270.tif 000014
【図１３】
2014063270.tif 000015
【図１４】
2014063270.tif 000016
【図１５】
2014063270.tif 000017
【図１６】
2014063270.tif 000018